(57)【要約】【課題】サービス開始前に接続性確認が実施可能であり、コストパフォーマンスに優れた自動的な光ファイバの接続性確認機能を有する光クロスコネクト装置を提供する。【解決手段】複数のインターフェース１４０と、監視制御部１３０と、クロスコネクト１２０とからなるクロスコネクト装置４００において、クロスコネクト１２０の入力部と出力部とに、光レベルモニタ１２２、１２３とを設ける。【選択図】図１１
2007180699.tif 000002
【特許請求の範囲】
【請求項１】
発光源を有する複数のインターフェースと、前記インターフェースの一つと接続された入力方路と前記インターフェースの一つと接続された出力方路とを接続する光クロスコネクトと、前記インターフェースと前記光クロスコネクトとを制御する監視制御部とからなる光クロスコネクト装置において、
前記インターフェースの受信部に第1の光レベルモニタと、前記光コネクトの前記入力方路と前記出力方路とに第２および第３の光レベルモニタを有することを特徴とする光クロスコネクト装置。
【請求項２】
光クロスコネクトへ光信号を送信し、前記光クロスコネクトからの前記光信号の光レベルをモニタする第１の光レベルモニタを有するインターフェースと、
前記インターフェースからの前記光信号を受信し、前記光信号を前記インターフェースに送信し、受信光信号の光レベルをモニタする第２の光レベルモニタと送信光信号の光レベルをモニタする第３の光レベルモニタとを有する前記光クロスコネクトと、
前記第１の光レベルモニタの出力と第２の光レベルモニタの出力と第３の光レベルモニタの出力とを監視し、前記インターフェースと前記光コネクトとの接続確認を行う監視制御部とからなる光クロスコネクト装置。
【請求項３】
請求項１に記載の光クロスコネクト装置であって、
前記インターフェースに前記発光源の出力レベルをモニタする第４の光レベルモニタを更に含むことを特徴とする光クロスコネクト装置。
【請求項４】
インターフェースと光クロスコネクトとからなる光クロスコネクト装置の接続確認方法であって、
前記光クロスコネクトが受信した前記インターフェースからの光信号の光レベルをモニタするステップと、
前記光信号を転送するステップと、
転送された光信号の光レベルをモニタするステップと、
前記転送された光信号を前記インターフェースに送信するステップと、
前記インターフェースが受信した光信号の光レベルをモニタするステップとを含む光クロスコネクト装置の接続確認方法。
【請求項５】
請求項４に記載の光クロスコネクト装置の接続確認方法であって、
前記インターフェースが送信する光信号の光レベルをモニタするステップを更に含むことを特徴とする光クロスコネクト装置の接続確認方法。
【発明の詳細な説明】
【技術分野】
【０００１】
本発明は、クロスコネクト装置およびその接続確認方法に係り、特に簡便な機能で光信号の接続確認を行うクロスコネクト装置およびその接続確認方法に関する。
【背景技術】
【０００２】
情報の高速化、大容量化に伴い、ネットワークおよび伝送システムの広帯域化および大容量化が必要となっている。その実現手段として、波長分割多重技術をベースとする光ネットワークの構築が望まれている。ネットワークを構築する上で中核となるのが、複数の入力用光ファイバから波長多重されて入力された光信号を波長毎に分離して光信号の状態のままクロスコネクトし、波長多重して所望の出力用光ファイバにルーチングする光クロスコネクト装置である。
【０００３】
特許文献１には、切り替えまたは切り戻し先の光伝送線路が正常であることを確認するために、光信号挿入手段と光信号監視手段を備えた光クロスコネクト装置が記載されている。
【０００４】
【特許文献１】特開平１１−０２７２０８号公報
【発明の開示】
【発明が解決しようとする課題】
【０００５】
特許文献１に記載された光クロスコネクト装置では、増大する光ファイバ数に応じて光信号挿入手段と光信号監視手段を実装する必要があり、コストパフォーマンスを大きく低下させる。従って、システム運用としてサービス開始前に接続性確認が実施可能であり、コストパフォーマンスに優れた自動的な光ファイバの接続性確認機能を有する光クロスコネクト装置の実現が望まれている。
【課題を解決するための手段】
【０００６】
上述した課題は、発光源を有する複数のインターフェースと、インターフェースの一つと接続された入力方路とインターフェースの一つと接続された出力方路とを接続する光クロスコネクトと、インターフェースと光クロスコネクトとを制御する監視制御部とからなり、インターフェースの受信部に第1の光レベルモニタと、光コネクトの入力方路と出力方路とに第２および第３の光レベルモニタを有する光クロスコネクト装置により達成できる。
【０００７】
また、光クロスコネクトへ光信号を送信し、光クロスコネクトからの光信号の光レベルをモニタする第１の光レベルモニタを有するインターフェースと、インターフェースからの光信号を受信し、光信号をインターフェースに送信し、受信光信号の光レベルをモニタする第２の光レベルモニタと送信光信号の光レベルをモニタする第３の光レベルモニタとを有する光クロスコネクトと、第１の光レベルモニタの出力と第２の光レベルモニタの出力と第３の光レベルモニタの出力とを監視し、インターフェースと光コネクトとの接続確認を行う監視制御部とからなる光クロスコネクト装置により達成できる。
【発明の効果】
【０００８】
特別な接続監視のための機能を実装することなく、インターフェース部と光クロスコネクトと間の光ファイバ接続の正常性確認が可能である。
【発明を実施するための最良の形態】
【０００９】
以下本発明の実施の形態に付いて、実施例を用いて図面を参照しながら説明する。なお、同一部分に付いては同じ参照番号を振り、説明は繰り返さない。
【実施例１】
【００１０】
まず、実施例１の光クロスコネクト装置の構成について図１を用いて説明する。ここで、図１は光クロスコネクト装置の構成を説明するブロック図である。図１において、光クロスコネクト装置１００は、複数のプリント基板（カード）に機能を分割して実装する。すなわち、光クロスコネクト装置１００は、ｎ枚のインターフェースカード１１０と、光クロスコネクトカード１２０と、監視制御カード１３０とで、構成される。
【００１１】
ここで、インターフェースカード１１０は、双方向で光信号を受信し、一旦電気信号に変換して、再度光信号で送信する双方向光トランスポンダ（光受信機および光送信機）の機能を有する。また、インターフェースカード１１０は、光クロスコネクトカード１２０からの戻り信号の光レベルモニタ１１１と、外部への光送信モジュール１１２と、光クロスコネクトカードへの光送信モジュール１１３を実装する。ここで、光レベルモニタ１１１は、９対１の比で光信号を分割するタップ（図示せず）と、タップの出力比１のポートに接続された図示しないフォトダイオード（ＰＤ）で構成する。なお図示の簡便のため、図１では、光受信モジュールの記載を省略した。
【００１２】
光クロスコネクトカード１２０は、ｎ入力×ｎ出力の光スイッチ１２１を実装する。光クロスコネクトカード１２０の入力部と出力部には、光レベルモニタ回路１２２、１２３を設置する。
【００１３】
監視制御カード１３０は、インターフェースカード１１０の光送信モジュール１１３の制御と、光クロスコネクトカード１２０の光スイッチ１２１の制御を実施する。監視制御カード１３０は、また、各光レベルモニタ１１１、１２２、１２３の出力をモニタする。
【００１４】
以下、図面を簡略として、より具体的に説明する。なお、機能ブロックがカード単位とは限らないので、光クロスコネクトカード１２０は光クロスコネクト１２０と、インターフェースカード１１０はインターフェース１１０と、監視制御カード１３０は監視制御部１３０と記載する。
【００１５】
図２を用いて、光クロスコネクト装置の接続チェック動作を説明する。ここで、図２は光クロスコネクト装置の接続チェック動作を説明する図である。光クロスコネクト装置１００は、インターフェース１１０と光クロスコネクト１２０との間の入力、出力それぞれに、光ファイバを接続する。この光ファイバは２ｎ本であり、人が端面を清掃しながら接続する。このため、光スイッチの回路規模が大きいと、誤接続の虞が大きい。
【００１６】
監視制御部１３０は、インターフェース１１０に対して発光制御を実施し、クロスコネクトカード１２０に、自己ループのスイッチ制御設定を実施する。これによって、インターフェース１１０とクロスコネクト１２０の光信号を導通状態にする。インターフェース１１０から出力された光信号は、クロスコネクトカード１２０の入力方路に発信され、光クロスコネクト１２０にて、自己ループのルートを介して、光信号を出力したインターフェース１１０に入力される。
【００１７】
監視制御部１３０は、光送信モジュール１１３を発光させ、光レベルモニタ１２２、１２３、１１１の光レベルモニタ値が正常ならば、そのパスのファイバの接続の健全性が確認できる。本実施例ではインターフェースの発光源を使用するため、特別な監視機能が不要である。よって、コストパフォーマンスの優れた接続確認機能を提供可能である。
【００１８】
インターフェース１１０と光クロスコネクト１２０の入力との間の光ファイバ接続が実施されていなければ、全ての光レベルモニタ１２２、１２３、１１１で光レベルが断状態であること検出する。一方、光クロスコネクト１２０の出力とインターフェース１１０との間の光ファイバ接続が実施されていなければ、光レベルモニタ１１１でのみ光レベルが断状態であること検出する。したがって、どの光ファイバの接続が異常かを検出可能である。同様に光スイッチの異常も検出できる。
【００１９】
また、光レベルモニタにより、所望の光パワーレベルに達していないことを検出することで、光ファイバの接続は正常でも、光ファイバの劣化やコネクタ端面の汚損を、サービス開始前に検出可能である。
【００２０】
光スイッチ１２１は特定の１つの入力方路を全ての出力方路に接続可能である。よって、図３に示すように１つのインターフェース部から出力される光信号を、光クロスコネクト制御により、ファイバ接続される全てのインターフェース部との間で接続の確認が可能である。ここで、図３は光クロスコネクト装置の接続チェック動作を説明する図である。図３において、光クロスコネクト１２０のスイッチは、インターフェース１１０−１を接続する入力ポート＃１と、インターフェース１１０−７を接続する出力ポート＃７とを接続する。また、スイッチは、インターフェース１１０−７を接続する入力ポート＃７と、インターフェース１１０−１を接続する出力ポート＃１とを接続する。これによって、インターフェース１１０−１と１１０−７との間の双方向のルートが接続可能であることが、確認できる。
【００２１】
接続可能なルートのデータを監視制御部１３０が蓄積しておくことで、サービス開始前に、サポート可能な接続構成を事前に判定が可能である。従って、ユーザからのクロスコネクト設定要求に対して、即座に接続可否を判別可能であるため、親和性の高いサービス運用を提供可能である。
【００２２】
また、新規にインターフェースを増設する場合、監視制御部１３０が管理するデータにより、光クロスコネクトの空き方路の検索が可能であり、すでに他方路にて光クロスコネクト部と接続されているインターフェース部との接続確認が可能である。また、接続情報を監視制御部１３０のデータに追加することにより、インターフェース部の追加においても、ユーザからのクロスコネクト設定要求に対して、即座に接続可否を判別可能であり、親和性の高いサービス運用を提供可能である。
【実施例２】
【００２３】
実施例２の光クロスコネクト装置の構成について図４を用いて説明する。ここで、図４は光クロスコネクト装置の構成を説明するブロック図である。図４において、光クロスコネクト装置２００は、システム外部と接続するインターフェース１４０と、光クロスコネクト１２０と、監視制御部１３０とで構成されている。システム外部と接続するためのインターフェース機能を搭載したインターフェース１４０には、特定波長の光信号の発光源１４３と、発光源１４３が出力している光信号の送信レベルを監視する光レベルモニタ１４４、光クロスコネクト１２０からの光信号の受信レベルを監視する光レベルモニタ１４１を備える。光クロスコネクト１２０は、複数の入出力方路を持ち、１つの入力方路をどの出力方路へも接続可能なスイッチ１２１を搭載する。また、各々の入力方路について、入力された光信号の受信レベルを検出する光レベルモニタ１２２および各々の出力方路について、出力する光信号の送信レベルを検出する光レベルモニタ１２３を搭載する。
【００２４】
監視制御部１３０は、インターフェース部の送信レベル、受信レベル、および光クロスコネクト全方路の送信レベル、受信レベルの情報を集約する。また、監視制御部１３０は、インターフェース部への光信号の発光制御および光クロスコネクト部へのクロスコネクト設定制御を実施する。
【００２５】
また、監視制御部１３０とインターフェース１４０および光クロスコネクト１２０間には、監視制御用の図示しない通信信号線を配置する。この通信信号線により監視制御部１３０からインターフェース１４０および光クロスコネクト１２０への監視情報の収集および制御情報の設定を実施する。
【００２６】
インターフェース１４０の出力方路を光クロスコネクト１２０の入力方路に、また、光クロスコネクト１２０の出力方路をインターフェース１４０の入力方路に接続されるよう、２本の光ファイバにて接続する。このとき、インターフェース１４０の発光源１４３の発光する光信号の波長がチャネル１なら、これが光クロスコネクト１２０のチャネル１方路に接続するように配置する。
【００２７】
まず、監視制御部１３０は、波長チャネル１のインターフェース１４０に対して、発光源１４３の発光指示を行う。次に、監視制御部１３０は、光クロスコネクト１２０に入力チャネル１が出力チャネル１に接続されるように、クロスコネクト設定を実施する。これにより、波長チャネル１を発光するインターフェース１４０から発出した光信号は、光クロスコネクト１２０のチャネル１の入力方路で受信される。チャネル１の入力方路は、チャネル１の出力方路に接続されているため、光信号はチャネル１の出力方路から出力される。この結果、波長チャネル１を発光するインターフェース部から発出した光信号は、光クロスコネクトのチャネル１を介して、自ら受信する。
【００２８】
図５を用いて光クロスコネクトの入力ファイバ故障を説明する。ここで、図５は光クロスコネクトの入力ファイバ故障を説明する図である。図５において、クロスコネクト装置２００のチャネル１の光レベルモニタ１４４、１２２−１、１２３−１、１４１のうち、発光源１４３の直後の光レベルモニタ１４４のみ正常で（図中で白丸）、光レベルモニタ１２２−１、１２３−１、１４１がいずれも信号断レベルであれば（図中で黒丸）、インターフェース１４０出力と信号断レベルが最も上流の光レベルモニタ１２２−１との間の光ファイバの断または光ファイバ未接続と判定する。
【００２９】
仮に、光レベルモニタ１２２−１、１２３−１、１４１がいずれも信号断レベルでなく信号劣化が認められる場合にも、発光源１４３の直後の光レベルモニタ１４４との受信レベルの差から、インターフェース部の出力方路と光クロスコネクト部の入力方路を接続している光ファイバの損失が判断可能である。つまり、インターフェース部の光信号の送信レベルと、光クロスコネクトのチャネル１入力方路の光信号の受信レベルに、予め定めた値以上の差分があった場合、ファイバが劣化もしくは光ファイバのコネクタの汚損と判別する。
【００３０】
図６を用いて光クロスコネクトの出力ファイバ故障を説明する。ここで、図６は光クロスコネクトの出力ファイバ故障を説明する図である。図６において、クロスコネクト装置２００のチャネル１の光レベルモニタ１４４、１２２−１、１２３−１、１４１のうち、最終段の光レベルモニタ１４１のみ信号断レベルで、光レベルモニタ１４４、１２２−１、１２３−１は正常レベルなとき、最も下流の正常レベルな光レベルモニタ１２３−１と、光レベルモニタ１４１との間の光クロスコネクト出力からインターフェース入力方向の光ファイバの断または光ファイバ未接続と判定する。
【００３１】
なお、光レベルモニタの検出値が信号断レベルではなくとも、前段の光レベルモニタとの受信レベルに予め定めた値以上の差分があった場合、ファイバが劣化もしくは光ファイバのコネクタの汚損と判別することは、図５で説明したとおりである。
【実施例３】
【００３２】
実施例３の光クロスコネクト装置の構成について図７を用いて説明する。ここで、図７は光クロスコネクト装置の構成を説明するブロック図である。図７において、光クロスコネクト装置３００は、システム外部と接続する２つのインターフェース１４０−１、１４０−２と、光クロスコネクト１２０と、監視制御部１３０とで構成されている。
【００３３】
波長チャネル（波長番号）１のインターフェース１４０−１の出力方路を光クロスコネクト１２０の入力方路チャネル１方路に、光クロスコネクト１２０のチャネル１の出力方路を波長チャネル１のインターフェース１４０−１の入力方路に、光ファイバにて接続する。また、波長チャネル２のインターフェース１４０−２の出力方路を光クロスコネクト１２０の入力方路チャネル２方路に、光クロスコネクト１２０のチャネル２の出力方路を波長チャネル２のインターフェース１４０−２の入力方路に、光ファイバにて接続する。
【００３４】
まず、第１のステップとして、監視制御部１３０は、波長チャネル１のインターフェース１４０−１に対して、発光源１４３−１の発光指示を行う。次に、監視制御部１３０は、光クロスコネクト１２０に入力チャネル１が出力チャネル１に接続されるように、光クロスコネクト１２０へクロスコネクト設定を実施する。これにより、波長チャネル１を発光するインターフェース１４０−１が発出した光信号は、クロスコネクト１２０のチャネル１の入力方路で受信し、光クロスコネクト１２０ではクロスコネクト設定によりチャネル１の出力方路に接続されているため、チャネル１の出力方路から出力される。この結果、波長チャネル１を発光するインターフェース１４０−１から発出した光信号は、光クロスコネクト１２０のチャネル１を介して、自ら受信する。従って、このとき波長チャネル１のインターフェース１４０−１の送信レベル、受信レベルおよび光クロスコネクト１２０のチャネル１の送信レベル、受信レベルは正常である。一方、波長チャネル２のインターフェース１４０−２への発光源の発光指示、および光クロスコネクト１２０のチャネル２へのクロスコネクト設定を実施していないため、波長チャネル２のインターフェース１４０−２の送信レベル、受信レベルおよび光クロスコネクト１２０のチャネル２の送信レベル、受信レベルは、信号断レベルである。
【００３５】
次に、第２のステップとして、監視制御部１３０は、波長チャネル１のインターフェース１４０−１に対して、発光源１４３−１の発光停止指示を行う。監視制御部１３０は、光クロスコネクト１２０に入力チャネル１と出力チャネル１の接続を解除する。
【００３６】
ここで改めて、監視制御部１３０は、波長チャネル２のインターフェース１４０−２に対して、発光源１４３−２の発光指示を行う。次に、監視制御部１３０は、光クロスコネクト１２０に入力チャネル２が出力チャネル２に接続されるように、光クロスコネクト１２０へクロスコネクト設定を実施する。
【００３７】
この結果、波長チャネル１のインターフェース１４０−１への発光源の発光指示、および光クロスコネクト１２０のチャネル１へのクロスコネクト設定を実施していないため、波長チャネル１のインターフェース１４０−１の送信レベル、受信レベルおよび光クロスコネクト１２０のチャネル１の送信レベル、受信レベルは、信号断レベルである。一方、波長チャネル２のインターフェース１４０−２の送信レベル、受信レベルおよび光クロスコネクト１２０のチャネル２の送信レベル、受信レベルは正常である。
以上の２ステップによって、４本のファイバの接続が正常であることが判明する。
【００３８】
図８および図９を参照して、光ファイバの誤接続を説明する。ここで、図８は光クロスコネクトの入力ファイバ誤接続を説明する図である。図９は光クロスコネクトの出力ファイバ誤接続を説明する図である。
【００３９】
図８において、波長チャネル１を発光するインターフェース１４０−１の出力方路の送信レベルが正常でありながら、光クロスコネクト１２０のチャネル１の入力レベル、チャネル１の出力レベルおよびインターフェース１４０−１の入力方路の受信レベルが信号断レベルである。一方、発光制御を実施していない波長チャネル２のインターフェース１４０−２の出力方路に接続しているはずの光クロスコネクトのチャネル２の入力方路の受信レベル、チャネル２の出力レベル、および波長チャネル２のインターフェース部の入力方路の受信レベルが正常である。こうした場合、波長チャネル１のインターフェース１４０−１の出力方路の光ファイバが、光クロスコネクト１２０のチャネル２の入力方路に接続されているという誤接続状態の判定が可能である。
【００４０】
また、図９において、波長チャネル１を発光するインターフェース１４０−１の出力方路の送信レベル、光クロスコネクト１２０のチャネル１の入力レベル、チャネル１の出力レベルが正常である。しかし、波長チャネル１のインターフェース１４０−１の入力方路の受信レベルが信号断レベルである。さらに、発光制御およびクロスコネクト設定を実施していない波長チャネル２のインターフェース１４０−２の入力方路の受信レベルが正常である。こうした場合、光クロスコネクト１２０のチャネル１の出力方路の光ファイバが、波長チャネル２のインターフェース１４０−２の入力方路に接続されているという誤接続状態の判定が可能である。
【実施例４】
【００４１】
実施例４の光クロスコネクト装置の構成について図１０を用いて説明する。ここで、図１０は光クロスコネクト装置の構成を説明するブロック図である。図１０において、光クロスコネクト装置３００は、システム外部と接続するｎ式のインターフェース１４０と、光クロスコネクト１２０と、監視制御部１３０とで構成されている。
【００４２】
図１０において、前述のインターフェース１４０がｎ式存在し、波長チャネルｎ（ｎ＝１〜ｎ）のインターフェース部の出力方路を光クロスコネクト部の入力方路チャネルｎ方路に、光クロスコネクト部のチャネルｎの出力方路を波長チャネルｎのインターフェース部の入力方路に、光ファイバにて接続する。上記に従い、全てのインターフェース部と光クロスコネクト部を２ｎ本の光ファイバにて接続する。
【００４３】
ここで、まず波長チャネル１について、実施例３と同様の発光指示およびに光クロスコネクト部へクロスコネクト設定を実施する。このとき波長チャネル１のインターフェース部の送信レベル、受信レベルおよび光クロスコネクトのチャネル１の送信レベル、受信レベルは正常である。また、波長チャネル１以外のインターフェース部への発光源の発光指示および光クロスコネクト部のチャネル１以外のへのクロスコネクト設定を実施していないため、波長チャネル１以外のインターフェース部の送信レベル、受信レベルおよび光クロスコネクトのチャネル１以外の送信レベル、受信レベルは、信号断レベルである。このような状態で、波長チャネル１について、正常であることが確認できる。
【００４４】
続いて、光クロスコネクト１２０へのクロスコネクト設定を一旦解除し、波長チャネル２について、同様に確認する。以下同様に、波長チャネルｎまで確認する。なお、誤接続、接続漏れはその都度修正する。この結果、全ての波長チャネルの正常性が確認できる。
【００４５】
図１１を用いて、他の全ての波長チャネルの正常性確認方法を説明する。ここで、図１１は全ての波長チャネルの正常性確認方法を説明する図である。図１１において、まず図１０で説明した波長チャネル１の正常性確認を実施した後、監視制御部１３０は、光クロスコネクト１２０の入力チャネル１と出力チャネル２とを接続するクロスコネクト設定を実施する。これにより、波長チャネル１を発光するインターフェース１４０−１から発出した光信号は、クロスコネクト１２０のチャネル１の入力方路で受信される。光クロスコネクト１２０は、クロスコネクト設定により、チャネル１の入力方路はチャネル２の出力方路に接続されているため、チャネル２の出力方路から出力される。この結果、波長チャネル１を発光するインターフェース１４０−１から発出した光信号は、光クロスコネクトのチャネル２の出力方路を介して、波長チャネル２のインターフェース１４０−２にて受信する。従って、このとき波長チャネル１のインターフェース部の送信レベル、光クロスコネクトのチャネル１の受信レベル、光クロスコネクトのチャネル２の送信レベル、波長チャネル２のインターフェース部の受信レベルは正常である。しかし、その他の波長チャネルのインターフェース部への発光源の発光指示、および光クロスコネクト部へのクロスコネクト設定を実施していないため、上記以外の波長チャネルのインターフェース部の送信レベル、受信レベルおよび光クロスコネクト１２０の送信レベル、受信レベルは、信号断レベルである。この場合、これらが正常である。
【００４６】
これと同様に、光クロスコネクト１２０の入力チャネル１と出力チャネルｎ（ｎ＝３〜ｎ）とを接続するクロスコネクト設定を実施して、入力チャネル１と出力チャネルの正常性を評価する。これらの評価の結果、波長チャネル１のインターフェース部とクロスコネクト設定により接続可能なインターフェース部の判別が可能である。
【００４７】
また、波長チャネル１のみならず、他の波長チャネルのインターフェース１４０−ｎ（ｎ＝２〜ｎ）に対して発光源１４３−ｎに発光指示を実施し、同様に接続可能なインターフェース１４０の判別を実施することにより、光クロスコネクト１２０を介して、存在する全てのインターフェース１４０との接続情報を監視制御部１３０が認識可能である。これにより、ユーザからのクロスコネクト要求に対して、即座に接続可否を判別することができる。
【図面の簡単な説明】
【００４８】
【図１】光クロスコネクト装置の構成を説明するブロック図である。
【図２】光クロスコネクト装置の接続チェック動作を説明する図である。
【図３】光クロスコネクト装置の接続チェック動作を説明する図である。
【図４】光クロスコネクト装置の構成を説明するブロック図である。
【図５】光クロスコネクトの入力ファイバ故障を説明する図である。
【図６】光クロスコネクトの出力ファイバ故障を説明する図である。
【図７】光クロスコネクト装置の構成を説明するブロック図である。
【図８】光クロスコネクトの入力ファイバ誤接続を説明する図である
【図９】光クロスコネクトの出力ファイバ誤接続を説明する図である。
【図１０】光クロスコネクト装置の構成を説明するブロック図である。
【図１１】全ての波長チャネルの正常性確認方法を説明する図である。
【符号の説明】
【００４９】
１００…光クロスコネクト装置、１１０…インターフェース、１１１…光レベルモニタ、１１２…光送信モジュール、１１３…光送信モジュール、１２０…光クロスコネクト、１２１…光スイッチ、１２２…光レベルモニタ、１２３…光レベルモニタ、１３０…監視制御部、１４０…インターフェース、１４１…光レベルモニタ、１４３…発光源、１４４…光レベルモニタ、２００…光クロスコネクト装置、３００…光クロスコネクト装置、４００…光クロスコネクト装置。
【図１】
2007180699.tif 000003
【図２】
2007180699.tif 000004
【図３】
2007180699.tif 000005
【図４】
2007180699.tif 000006
【図５】
2007180699.tif 000007
【図６】
2007180699.tif 000008
【図７】
2007180699.tif 000009
【図８】
2007180699.tif 000010
【図９】
2007180699.tif 000011
【図１０】
2007180699.tif 000012
【図１１】
2007180699.tif 000013